(57)【要約】      （修正有）【課題】指袋が指袋ごとにかかる負荷に合わせた丈夫さと履き心地を備えた指袋付靴下の提供。【解決手段】指袋付靴下１００は、複数の指袋と、指袋の基端から足挿入口１３までをなす本体部６と、を備え、一又は複数本の非弾性糸からなる表糸に弾性糸からなる裏糸を添えて編成されている。複数の指袋は、各指袋に用いられる一又は複数の表糸の太さの合計からなる表糸の総太さ、及び／又は裏糸の弾性糸の強さが互いに異なる指袋を含む。【選択図】図１
2015158024.tif 000002
【特許請求の範囲】
【請求項１】
複数の指袋と、前記指袋の基端から足挿入口までをなす本体部と、を備え、一又は複数本の非弾性糸からなる表糸に弾性糸からなる裏糸を添えて編成された指袋付靴下であって、
前記複数の指袋は、各指袋に用いられる一又は複数の表糸の太さの合計からなる表糸の総太さ、及び／又は裏糸の弾性糸の強さが互いに異なる指袋を含むことを特徴とする指袋付靴下。
【請求項２】
前記複数の指袋は、表糸の総太さが太い指袋ほど裏糸に弾性力の強い弾性糸が用いられている請求項１に記載の指袋付靴下。
【請求項３】
前記複数の指袋は、親指を収容する親指袋と、他の指を１又は複数本ずつ収容する１又は複数の副指袋と、を有し、
前記一又は複数の副指袋のそれぞれの表糸の総太さが親指袋の表糸の総太さより細い請求項１又は請求項２に記載の指袋付靴下。
【請求項４】
前記副指袋が人差指を収容する人差指袋、中指を収容する中指袋、薬指を収容する薬指袋、及び小指を収容する小指袋からなり、中指袋、及び薬指袋が、副指袋の中で最も表糸の総太さが細い請求項３に記載の指袋付靴下。
【発明の詳細な説明】
【技術分野】
【０００１】
この発明は、前後一対にニードルベッドを備えた横編み機を用いて編成される指袋付靴下に関する。
【背景技術】
【０００２】
従来、非弾性糸からなる表糸に弾性糸からなる裏糸を添糸編みした指袋付靴下が広く用いられている。そして、このような指袋付靴下では、指袋とその周辺に用いる糸の種類や組み合わせを工夫することにより指袋の履き心地を向上させる各種の取り組みがなされている。
【０００３】
例えば、特許文献１では、本体部に厚手の非吸湿糸が用いられた指割れ靴下において、指袋の付け根部分に薄手の吸湿糸を用いることで、指の付け根の吸湿性を高めるとともに指袋に指が入り易いようにすることが提案されている。
【０００４】
また、特許文献２の５本指靴下では、指袋部分の表糸として本体部分と同じ非弾性糸からなる表糸を用い、裏糸として本体部分の表糸と同じ糸若しくは別の糸と弾性糸を用いることで、指袋部分の締付感を緩め、履きやすく、疲れにくく、洗濯による縮みを少なくすることを提案している。
【先行技術文献】
【特許文献】
【０００５】
【特許文献１】特開２００２−３０２８０３号公報
【特許文献２】特開２００９−１２０９８２号公報
【発明の概要】
【発明が解決しようとする課題】
【０００６】
しかし、特許文献１、及び特許文献２は、何れも糸の種類や組み合わせが各指袋で同じであるため、例えば、丈夫さを要求される指に合わせて全ての指袋の糸を太くすると指先が窮屈になるという問題や、指の入り難い指に合わせて全ての指袋の弾性糸を弱くすると歩くときに力の加わる指では、指袋がずれてしまって履き心地が低下するという問題が有る。
本発明は、上記課題に鑑みてなされたものであり、各指袋の負荷に合わせた丈夫さと履き心地を備えた指袋付靴下の提供を目的とする。
【課題を解決するための手段】
【０００７】
上記課題を解決するためになされた発明は、複数の指袋と、前記指袋の基端から足挿入口までをなす本体部と、を備え、一又は複数本の非弾性糸からなる表糸に弾性糸からなる裏糸を添えて編成された指袋付靴下であって、前記複数の指袋は、各指袋に用いられる一又は複数の表糸の太さの合計からなる表糸の総太さ、及び／又は裏糸の弾性糸の強さが互いに異なる指袋を含むことを特徴とする。
【０００８】
本発明に係る指袋付靴下では、このように、表糸の総太さが異なる指袋を含むため、丈夫さが要求される指袋には相対的に総太さが太くなるよう表糸を構成し、丈夫さが要求されない指袋には、総太さが薄くなるよう表糸を構成することで、指袋の丈夫さを確保しながら指先の窮屈感を解消できる。また、弾性糸の弾性力が異なる指袋を含むため、締付感が要求される指袋には相対的に弾性力の強い弾性糸を裏糸に用い、指の挿入し易さが求められる指袋には、弾性力の弱い弾性糸を裏糸に用いることで、指袋のフィット感を確保しながら靴下の履きやすさを向上できる。
【０００９】
前記複数の指袋は、表糸の総太さが太い指袋ほど裏糸に弾性力の強い弾性糸が用いられていることが好ましい。外部からの負荷が大きく総太さの太い表糸が用いられる指袋は、負荷が大きいために変形もしやすい。そこで、総太さの太い表糸が用いられる指袋に弾性力の強い弾性糸を用いることで、指袋の形状修復力を増大してより指袋のフィット感を高めることができる。また、表糸の総太さが細い指袋に弾性力の弱い弾性糸を用いることで表糸が弾性糸の弾性力に負けて指袋が型崩れすることを抑制できる。
【００１０】
前記複数の指袋は、親指を収容する親指袋と、他の指を１又は複数本ずつ収容する１又は複数の副指袋と、を有し、前記一又は複数の副指袋のそれぞれの表糸の総太さが親指袋の表糸の総太さより細いことが好ましい。こうすることで、歩く際に最も力の加わる親指袋を厚くして丈夫さを確保するとともに、副指袋を薄くして、指の窮屈感を抑制できる。
【００１１】
前記副指袋が人差指を収容する人差指袋、中指を収容する中指袋、薬指を収容する薬指袋、及び小指を収容する小指袋からなり、中指袋、及び薬指袋が、副指袋の中で最も表糸の総太さが細いことが好ましい。こうすることで、指袋に指の入りにくい中指や薬指を指袋に挿入し易くできる。
【００１２】
ここで、本発明の指袋付靴下の各部に用いる表糸の「総太さ」を比較する方法を説明すると、例えば、綿番手４０／２の糸２本を表糸に用いる場合、綿番手４０／２は、４０番手の単糸２本を撚り合わせた双糸を表し、綿番手４０／２の糸２本では４０番手の単糸の４本分の糸に相当するため、表糸の総太さは綿番手で１０番手の単糸に相当するというように、単糸１本の番手に換算して比較する。毛番手２／４８（４８番手の双糸）の糸３本を表糸に用いる場合、４８番手の単糸の６本分であるから、総太さを毛番手で８番手の単糸１本として比較する。また、デニール呼称で７５／２Ｄ（７５デニールの双糸）の糸２本では、７５デニールの単糸４本に相当するので、総太さを３００デニールの単糸１本として比較する。さらに、異なる太さ表示を用いた表糸の総太さを比較する際には、例えば、全ての糸の太さをテックス番手に換算する等、表示方法を統一して比較する。
【００１３】
尚、ここで「弾性力の強い弾性糸」とは、同じ長さの弾性糸を同じ長さだけ伸ばした際に、生じる弾性力の強い糸をいう。
【発明の効果】
【００１４】
以上説明したように、本発明の指袋付靴下によれば、各指袋の負荷に合わせた丈夫さと履き心地とを提供することができる。
【図面の簡単な説明】
【００１５】
【図１】本発明の第１実施形態に係る指袋付靴下の（ａ）底面図、（ｂ）平面図である。
【図２】本発明の第２実施形態に係る指袋付靴下の（ａ）底面図、（ｂ）平面図である。
【図３】本発明の第３実施形態に係る指袋付靴下の底面図である。
【図４】本発明の第４実施形態に係る指袋付靴下の底面図である。
【発明を実施するための形態】
【００１６】
以下、適宜図面を用いながら本発明の実施形態について詳述する。尚、本発明は以下の実施形態に限られるものではない。
（第１実施形態）
図１は、本発明の第１実施形態に係る指袋付靴下１００を示している。指袋付靴下１００は、図１に示すように、足挿入口１３を基端側とする本体部６と、本体部６の先端側に設けられる親指袋１と、人差指袋（副指袋）２と、中指袋（副指袋）３と、薬指袋（副指袋）４と、小指袋（副指袋）５と、を備え、本体部６は、親指袋１から薬指袋４の付け根部分の４本胴部７と、小指袋５及び４本胴部７に連続する足先部１１と、足先部１１に連続し踵から足首に渡って帯状に設けられる踵部９と、踵部９の基端側端部から足挿入口１３までを占める足首部１２と、足先部１１の足裏側の指の付け根と土踏まずの間に設けられる母指球部８と、足挿入口部分１０と、を備えている。指袋付靴下１００は、Ａ１、Ｂ１、Ｃ１、Ｄ１の総太さの異なる４種類の非弾性糸からなる表糸に、ａ１、ｂ１、ｃ１、ｄ１の弾性力の異なる４種の弾性糸を裏糸として添え糸し、天竺編みにより形成されている。ここで、Ａ２、Ｂ２、Ｃ２、Ｄ２、Ｅ２、Ｆ２は、前から順に総太さの太い糸を表しａ２、ｂ２、ｃ２、ｄ２、ｅ２、ｆ２は、前から順に弾性力の強い糸を表している。
【００１７】
指袋付靴下１００は、４種の異なる表糸と、４種の異なる裏糸と、本体部分６に適宜挿入されるゴム糸と、足挿入口部分１０に添えられる弾性糸とからなる計１０本の糸それぞれに１個のヤーンフィーダを用いる方法を採用し、計１０個のヤーンフィーダを備えた横編み機（不図示）により編成する。このように、糸替えをヤーンフィーダにより行うことで、後述する第２実施形態のようにノッターを用いて糸替えを行う場合に比べて、糸の変わり目における結び目を無くして靴下の肌触りを向上させることができる。また、番手違いの糸結びを正確に行うためのノッターの調整時間を省略することができる。さらに、種類の異なる糸ごとに異なるテンションを設定することができる。
【００１８】
指袋付靴下１００は、親指袋１、母指球部８、及び踵部９に、最も総太さの太いＡ１と最も弾性力の強い弾性糸ａ１とを用い、人差指袋２に、表糸として２番目に総太さの太いＢ１、裏糸として２番目に弾性力の強いＣ１を用い、中指袋３及び薬指袋４に、表糸として最も細いＤ１と、裏糸として最も弾性力の弱いｄ１を用い、小指袋５、足先部１１、及び足首部１２に、表糸として３番目に総太さの太いＣ１を用い、裏糸として３番目に弾性力の強い弾性糸ｃ１を用いている。
【００１９】
Ａ１からＤ１のような総太さの異なる非弾性糸は、特に限定されるものではなく、公知の非弾性糸から適宜に選択することができ、一例を挙げると、Ａ１からＤ１の表糸としてそれぞれ、１０番手、２０番手、３０番手、４０番手の綿糸を用い、ａ１からｄ１の裏糸（弾性糸）として、それぞれＦＴＹ４０／７０、ＦＴＹ３０／７０、ＦＴＹ２０／７０、ＦＴＹ１０／７０のナイロンをポリウレタン弾性糸にシングルカバリングした糸を用いることができる。表糸は、複数の非弾性糸を束ねて用いることもでき、例えば、４０番手の双糸２本を束ねることで、４０番手÷２（双糸）÷２本＝１０の計算式により、１０番手の単糸に等しい総太さの表糸を形成することができる。
【００２０】
上述したように、指袋付靴下１００では、装着時に最も力の加わる親指袋１、母指球部８、及び踵部９に総太さの最も太い表糸を用いることで、当該部分を破れ難くするとともに、指袋に関しては、人差指袋２から小指袋５の４本の副指袋の表糸の総太さを、親指袋１より細くすることで、足先が窮屈にならないようにしている。そして、表糸の総太さが太い部位ほど弾性力の強い弾性糸を用いることで、より負荷のかかる部位の形状修復力を高めるとともに、表糸の総太さの細い糸ほど弾性力の弱い弾性糸を用いることで、裏糸の強さに表糸が負けて指袋の形が潰れることを抑制している。さらに、中指袋３と薬指袋４は、最も弾性力の弱い弾性糸を用いているため指が入り易い。小指袋５は、中指袋３や薬指袋４に比べ表糸の総太さを太くして強度を強くし孔が開き難くするとともに、足先部分１１と同じ糸構成とすることで足先部１１との境界が無くなるため指が入り易い。
【００２１】
（第２実施形態）
次に、図２に示す、本発明の第２実施形態に係る指袋付靴下２００について説明する。指袋付靴下２００は、Ａ２、Ｂ２、Ｃ２、Ｄ２、Ｅ２、Ｆ２の総太さの異なる６種類の非弾性糸からなる表糸に、ａ２、ｂ２、ｃ２、ｄ２、ｅ２、ｆ２の弾性力の異なる６種類の弾性糸からなる裏糸を添えて、天竺編みに編成される。Ａ２、Ｂ２、Ｃ２、Ｄ２、Ｅ２、Ｆ２は、総太さの太い方から順に、ａ２、ｂ２、ｃ２、ｄ２、ｅ２、ｆ２は、弾性力の強い方から順に並べたものである。本実施形態では、前後一対に対向するニードルベッドに加え、少なくとも表糸、裏糸、ゴム糸、締め糸を給糸する４個のヤーンフィーダと、６種の表糸の間で糸替えを行うノッターと、６種の裏糸の間で糸替えを行うノッターと、計２個のノッターを備えた横編み機を用いて編成を行う。このように、２種のノッターを有する横編み機を用いることで、ヤーンフィーダの少ない横編み機であっても、表糸だけでなく裏糸にも多種類の糸を用いて編成することができる。
【００２２】
指袋靴下２００は、図２に示すように、足挿入口２１３を基端側とする本体部２６と、本体部２６の先端側に設けられる親指袋２１と、人差指袋（副指袋）２２と、中指袋（副指袋）２３と、薬指袋（副指袋）２４と、小指袋（副指袋）２５と、を備え、本体部２６は、４本胴部２７と、足先部２１１と、踵部２９と、足首部２１２と、足先部２１１の足裏側の指の付け根と土踏まずの間に設けられる母指球部２８とを備えている。
【００２３】
指袋靴下２００は、親指袋２１、踵部２９、及び母指球部２８に、最も総太さの太い表糸Ａ２と最も弾性力の強い弾性糸ａ２が用いられ、本体部の足先部２１１と足首部２１２に２番目に総太さが太いＢ２と２番目に弾性力の強いｂ２が用いられている。以下、人差指袋２２は３番目に総太さが太い表糸Ｃ２と３番目に弾性力の強い裏糸ｃ２、中指袋２３は５番目に総太さが太い表糸Ｅ２と５番目に弾性力の強い裏糸ｅ２、薬指袋２４は最も総太さの細い表糸Ｆ２と最も弾性力の弱い裏糸ｆ２、小指袋２５は４番目に総太さの太い表糸Ｄ２と４番目に弾性糸の強い裏糸ｄ２をそれぞれ用いて編成される。
【００２４】
上述したように、指袋付靴下２００は、力のかかる親指袋２１に総太さの太い表糸を配して親指を破れ難くする一方で、人差指袋２２乃至小指袋２５には、親指袋２１より総太さの細い表糸を配して、指先の窮屈さを抑制している。また、表糸の総太さが太い部位ほど弾性力の強い弾性糸を用い、より負荷のかかる部位の形状修復力を高めるとともに、表糸の総太さの細い糸ほど弾性力の弱い弾性糸を用いることで、裏糸の強さに表糸が負けて指袋の形が潰れることを抑制している。そして、中指袋２３と薬指袋２４は、他の指に比べ弾性力の弱い弾性糸を用いているため指が入り易い。
【００２５】
（第３実施形態）
図３は、本発明に係る指袋付靴下３００を示している。指袋付靴下３００は、総太さの異なる３種類の表糸Ａ３、Ｂ３、Ｃ３と１種類の弾性糸ａ３を用いて編成され、親指袋３１と、人差指から小指までをまとめて収容する副指袋３２と、本体部３６を備えている。親指袋３１は、最も太い表糸Ａ３が用いられ、副指袋３２は、最も細い表糸Ｃ３が用いられ、本体部３６は、中間の太さの表糸Ｂ３が用いられ、いずれも裏糸に弾性糸ａ３を添え糸して天竺編みに編成されている。
【００２６】
このように、指袋付靴下３００は、最も力の加わる親指袋３１に最も太い表糸Ａ３を用いることで親指袋３１の破れを抑制するとともに、副指袋３２に細い表糸Ｃ３を用いることで、指先が窮屈になることを抑制している。
【００２７】
（第４実施形態）
図４は、本発明の第４実施形態に係る指袋付靴下４００を示している。指袋付靴下４００は、１種類の表糸Ａ４と、弾性力の異なる４種類の弾性糸ａ４、ｂ４、ｃ４、ｄ４を用いて編成され、親指袋４１と、人差指から中指までをまとめて収容する副指袋４２と、小指を収容する小指袋４３と、本体部４６とを備えている。指袋付靴下４００は、いずれの部位も表糸Ａ４を用い、これに添える裏糸として、親指袋４１は最も弾性力の強い弾性糸ａ４を、副指袋４２は最も弾性力の弱い弾性糸ｄ４を、小指袋４３は３番目に弾性力の強い弾性糸ｃ４を、本体部４６は、２番目に弾性力の強いｂ４を用いて編成されている。
【００２８】
このように、指袋付靴下４００は、力が加わって変形しやすい個所ほど強い弾性糸を用いることで形状復元力を向上させ、全体のフィット感を高めている。
【００２９】
本発明の指袋付靴下は、上記の実施形態に限らず、例えば、指袋を４つとすることもできる。表糸として３本以上の非弾性糸を用いることもでき、綿糸や混合糸の他、公知の非弾性糸を適宜に用いることができる。裏糸は、ポリウレタンの芯糸にナイロン糸をカバリングしたものに限らず、公知の弾性糸を適宜用いることができる。表糸の総太さの太い指袋ほど弾性力の弱い弾性糸を用いるようにしてもよい。編み方は、天竺編みに限らず、横編み機で編成可能な公知の編成方法を適宜用いることができる。
【符号の説明】
【００３０】
１００，２００，３００，４００  指袋付靴下
１，２１，３１，４１  親指袋（指袋）
２，２２  人差指袋（指袋、副指袋）
３，２３  中指袋（指袋、副指袋）
４，２４  薬指袋（指袋、副指袋）
５，２５，４３  小指袋（指袋、副指袋）
３２，４２  副指袋
６，２６，３６，４６  本体部
１３，２１３，３１３，４１３  足挿入口
【図１】
2015158024.tif 000003
【図２】
2015158024.tif 000004
【図３】
2015158024.tif 000005
【図４】
2015158024.tif 000006